(57)【特許請求の範囲】
【請求項１】
共通二線式加入者回線を通じてプレーン・オールド電話サービス(POTS)と高速度データ(HSD)サービスとをサポートする通信システムにおける回線終端ユニットにおいて、
入力アナログPOTS信号とHSD信号とを回線から受信する手段と、出力アナログPOTSとXDSLサービスに使用されるHSD信号とを回線に送出する手段とを含み、POTSサービスとXDSLサービスの双方を取り扱うのに必要とされる送信データレートを有する信号を取り扱うことが可能であると共に、該共通二線式回線に接続されて該回線にバッテリー給電を提供する回線サポート回路と、
回線サポート回路に接続され、該受信した入力アナログ信号を、POTS情報を表す第１信号とHSD情報を表す第２信号とに分離する手段と、
該分離手段に接続され、関連中央局がPOTS信号に使用するフォーマットを有する第3のディジタル信号へと該第1の信号を変換し、そして該第3のディジタル信号を該関連中央局に送信する手段と、
該分離手段に接続され、関連中央局がXDSLサービスに必要とされる送信データレートを有するHSD信号に使用するフォーマットを有する第4のディジタル信号へと該第2の信号を変換し、そして該変換された第4のディジタル信号を分割することによりそれぞれの送信される信号の最大データレートを減少させることなく、該第4の信号を該関連中央局に送信する手段とを含む回線終端ユニット。
【請求項２】
請求項１に記載の回線終端ユニットにおいて、
出力ディジタルPOTS信号とHSD信号を受信するオフィス・インターフェース手段と、
第５信号と第６信号とがそれぞれPOTS情報とHSD情報とを表すアナログ信号であって、該オフィス・インターフェース手段に接続されるとともに、該出力ディジタルPOTS信号を該第５信号に変換し、該出力ディジタルHSD信号を該第６信号に変換するための手段と、
該変換手段に接続されるとともに、該第５および該第６信号を結合して１つの結合信号にするための手段であって、当該結合信号は、当該結合信号を加入者回線に伝送する回線サポート回路に接続された手段とをさらに含む回線終端ユニット。
【請求項３】
請求項1に記載の回線終端ユニットにおいて、該分離手段が、該第１信号を通過させ、該バッテリー給電から電流を運ばない第１フィルタを含む回線終端ユニット。
【請求項４】
請求項3に記載の回線終端ユニットにおいて、該分離手段が、該第２信号を通過させ、該バッテリー給電から電流を運ばない第２フィルタをさらに含む回線終端ユニット。
【請求項５】
請求項1に記載の回線終端ユニットにおいて、該回線サポート回路が該POTS情報を運ぶために必要とされるより高い帯域幅を必要とするHSD情報を運ぶ十分な周波数帯域幅を有する回線終端ユニット。
【請求項６】
請求項1に記載の回線終端ユニットにおいて、HSDサービスが非同期ディジタル加入者ループ（ADSL）サービスからなる回線終端ユニット。
【請求項７】
Ｎが１より大きい正の整数であって、Ｎ人の加入者について共通二線式加入者回線でプレーン・オールド電話サービス（POTS）と高速度データ（HSD）サービスとをサポートする通信システムにおける多重回線終端ユニットであって、
各々が対応する二線式加入者回線にバッテリー給電を提供し、入力アナログPOTSおよびHSD信号を該回線から受信する手段と出力アナログPOTSおよびHSD信号を該回線に伝送する手段とを含み、各々が関連する加入者回線上のアナログPOTS信号と、該中央局と通信されるディジタル化POTS信号との間のインターフェースを提供する、対応する二線式加入者回線に接続するための複数の加入者インターフェース・ユニット（SIU）と、
ＭがＮより小さい正の整数であるときに、各N個のSIUの各々に接続されると共に、M個の平行HSDチャネルの利用可能性に関するデータを記憶し、それによって何れのSIUが該HSDチャネルの１つに接続されるかを該記憶されたデータに従って制御する制御手段を含み、該Ｍ個の平行HSDチャネルをサポートする高速度データ・ユニット（HSDU）とを含む多重回線終端ユニット。
【請求項８】
請求項7に記載の多重回線終端ユニットにおいて、関連中央局、該HSDUおよび各SIUに接続されるとともに、該セレクタの動作を制御する命令を含む呼処理通信を提供する制御装置をさらに含む多重回線終端ユニット。
【発明の詳細な説明】
【０００１】
【発明の属する技術分野】
本発明は、加入者回線の終端となり、加入者のための高速度データ・サービスをサポートする通信機器に関する。本発明は従来のＰＯＴＳ終端機器の能力を超える高速度データ・サービスを提供するのに特に適しているが、それに限定されるものではない。
【０００２】
【従来の技術、及び、発明が解決しようとする課題】
米国では、加入者は普通プレーン・オールド電話サービス（ＰＯＴＳ）として知られる電話サービスを提供されている。こうしたサービスには、ダイアル呼出番号情報を伝える従来のダイアル・トーンと二重周波数トーン信号の使用を含む自動ダイアル呼出機能の提供が含まれる。付加的な最新の電話機能には、会議、呼び出し待機、着信発呼者識別などの市販の機能が含まれる。
【０００３】
加入者は、ＰＯＴＳ回線を利用し、パーソナル・コンピュータが制御する従来のモデム信号を公衆電話網を経由して他のモデムに伝える。ダイアルアップ・アナログ加入者回線で３３．６キロビット／秒までのデータ通信速度を公表するモデムが現在入手可能である。５６キロビット／秒までのデータ通信が可能であるとされる新しいモデムが発表された。当業技術分野に熟練した者は、モデムを使用してＰＯＴＳ加入者回線上を伝送できる最大データ転送速度は、サンプリング・レート、チャネルの帯域幅および中央局で各ＰＯＴＳ回線の終端となる回線カード・ユニットによってアナログ信号がディジタル信号に変換される速度によって制限されることが理解されるだろう。従って従来のモデムのデータ転送速度は、加入者回線の終端となるＰＯＴＳ回線カードによって制限される。
【０００４】
米国内の加入者が、従来のダイアルアップ加入者回線がサポートするものよりもより高速のデータ転送速度を提供する専用加入者回線を電話提供者から賃借できることは周知である。こうしたより高速の回線は中央局で異なった終端回路を利用し、より高速のデータ転送速度を提供する。例えば、統合サービス・ディジタル・ネットワーク（ＩＳＤＮ）終端機器は加入者に従来のＰＯＴＳ終端回線より高速なデータ転送速度の能力を提供する。利用可能な機器によってサポートされる既知の非同期ディジタル加入者回線（ＡＤＳＬ）は、従来の銅二線式加入者回線上で非常に高速のデータ転送速度を提供する。もちろん、ＡＤＳＬサービスは、大きなスループット能力、すなわちデータ転送速度を提供するために、中央局と需要家所在地で適切な終端機器を必要とする。
【０００５】
図１は、現在米国で従来の二線式銅線ループを使用する加入者に利用可能なサービスを示す。破線１０の右側の機器は顧客所在地機器（ＣＰＥ）を示し、破線１０の左側の機器は中央局終端機器を示す。回線カードとしても知られるＰＯＴＳ回線インターフェース１２は、ディジタル入力および出力通信回線１４および１６間のインターフェースと加入者回線１８上を運ばれるアナログ信号とを提供する。例えば、回線１４および１６はライン１８から受信されそこに送信されるアナログ情報を表す６４キロビット／秒のパルス符号変調（ＰＣＭ）信号を伝える。主配線盤（ＭＤＦ）２０が、複数の入力加入者回線を中央局のさまざまな終端機器に相互接続するために使用される。この例では、回線１８はダイプレックス・フィルタ１９とＭＤＦ２０を通じて加入者回線２２に接続される。需要家所在地の従来の電話機２４がダイプレックス・フィルタ２３を通じて加入者回線２２に接続される。
【０００６】
図１はまた高速度データ転送能力を提供する加入者への別のサービスも示す。ＡＤＳＬインターフェース回路２６が、数メガビット／秒までの速度でデータを送受信するための中央局と加入者との間のインターフェースを提供する。回線２８および３０は回線３２上を運ばれる加入者と行き来する情報を表す入力および出力ディジタル・データ通信を提供する。回線３２はダイプレックス・フィルタ１９とＭＤＦ２０とを介して加入者回線２２に接続される。ＡＤＳＬインターフェース３６はユーザのパーソナル・コンピュータ３８と通信する従来のディジタル・データと回線３７上を伝えられるＡＤＳＬアナログ・フォーマット信号方式との間のインターフェースを提供する。ダイプレックス・フィルタ２３はＡＤＳＬインターフェース３６と加入者回線２２との間のＡＤＳＬ信号を結合する。ユーザの利点は、加入者がＰＯＴＳ回線インターフェース１２を介して終端する通信を利用する場合に得られるものよりも実質上高速なデータ転送速度をＡＤＳＬ設備がサポートすることである。
【０００７】
図１に示される欠点は、ダイプレックス・フィルタ１９および２３が必要な点である。こうした既知のダイプレックス・フィルタは、ＡＤＳＬ信号方式に関連するより高い周波数信号を従来のＰＯＴＳ通信に関連するより低い周波数の信号（通常４キロヘルツ未満）から分離するよう機能する。従来のダイプレックス・フィルタはＰＯＴＳサービス用のバッテリー給電電流をサポートするために必要な直流（ＤＣ）の連続性を維持しつつ、必要なフィルタリングを提供するインダクタとキャパシタとの格子からなる。リンギング中などの場合伝えられなければならないＤＣと遭遇する電圧とのために、ダイプレックス・フィルタで使用されるインダクタは比較的大きな体積をしめる。従って、従来のダイプレックス・フィルタは、例えば約９０立方センチメートルといった比較的大きな空間を占める。これらのフィルタのサイズと、それをＭＤＦ、ＡＤＳＬインターフェースおよびＰＯＴＳ回線インターフェースに接続することに関連する配線は、空間の制限される終端機器キャビネット内で貴重な空間を塞ぐことになる。この問題はこうしたサービスを必要とする加入者が多くなればなるほど大きくなる。従って、特に終端器機内の空間と配線の必要を最小にしつつこうした高速サービスを提供する必要が存在する。
【０００８】
本発明の目的は、高速度データサービスのための中央局終端機器に関連する空間と配線を最小にする解決法を提供することによって上記で言及した必要と取り組むことである。
【０００９】
【課題を解決するための手段】
本発明の１つの実施形態によれば、アクセス・インターフェース・ユニットが、対応する加入者がＰＯＴＳサービスおよび／またはＡＤＳＬのような高速度データ・サービスを利用できる加入者回線の終端となる。アクセス・インターフェース・ユニットは従来のダイプレックス・フィルタを利用せずに両方の種類のサービスをサポートする。アクセス・インターフェース・ユニットには回線サポート回路が含まれるが、その際加入者ループの二方向通信は別個のチャネルの入力通信と出力通信とに分離される。入力通信は第１と第２との信号に分割される。第１信号は低域フィルタにかけられコーデックによってディジタル・フォーマット信号に変換される。第２信号は高域フィルタにかけられ、高速度データ受信機によってディジタル・フォーマット信号に変換される。出力通信はコーデックと高速度データ送信機とからの第３および第４アナログ信号の合計である。本発明の重要な態様は、ローパスおよび高域フィルタのために従来の低電圧、低電流な受動部品と能動部品とを使用する能力にある。高電圧リンギング信号とバッテリー給電は回線サポート回路によって提供されるため、これらのフィルタはＰＯＴＳが必要とする高電圧リンギング信号やＤＣバッテリー給電電流に適応する必要はない。
【００１０】
【発明の実施の形態】
本発明によれば、単一の加入者回線がＰＯＴＳとＸＤＳＬのような高速度データ・サービスといった少なくとも２つの異なった等級の加入者サービスをサポートする。ＸＤＳＬの「Ｘ」という文字は、ＡＤＳＬ（非同期）、ＲＤＳＬ（レート適応）およびＶＤＳＬ（超高速）といったディジタル加入者回線サービス群の１つであることを示す。ここで使用されるように「高速度データ・インターフェース」とは、従来のＰＯＴＳ回線終端機器がサポートできるものより高速なデータ伝送速度を提供する信号方式を使用する装置に関する。
【００１１】
図２を参照すると、需要家所在地機器が破線４０の右側に位置し、回線終端機器を含む中央局機器が破線４０の左側に位置する。加入者ループとしても知られる二線式銅線加入者回線４２が線４０の右側に位置する需要家所在地機器を線４０の左側の回線終端機器に接続する。加入者は、ＰＯＴＳを受信するためダイプレックス・フィルタ４３を介して加入者回線４２に接続できる従来の電話機４４を利用する。加入者はダイプレックス・フィルタ４３を介して例えばＸＤＳＬインターフェース４６のような高速度データ・インターフェースを高速度データ通信をサポートする加入者回線４２に接続することを決定する。ＸＤＳＬインターフェース４６に接続されたパーソナル・コンピュータ４８が例示として示される。パーソナル・コンピュータ４８以外の機器が、さまざまな種類の情報を表す多様なデータを送受信するために利用されることが、当業技術分野に熟練した者によって認識されるだろう。
【００１２】
アクセス・インターフェース・ユニット（ＡＩＵ）５０がＭＤＦ５２を介して加入者回線４２の終端となる。ＡＩＵ５０は加入者回線４２と送受信されるすべての対話と通信信号とに責任を負う。また、ＡＩＵ５０は、ＰＣＭ符号化信号または非同期転送モード（ＡＴＭ）フォーマット信号を利用するような中央局スイッチとの情報を通信するための分離した入力および出力データ経路を提供する責任を負う。通信チャネル５４および５６はそれぞれ入力および出力の高速ディジタル情報を伝える。通信チャネル５８および６０は同様にそれぞれ入力および出力の従来の電話情報を伝える。
【００１３】
回線サポート回路６２は加入者回線４２の終端となり、従来のＰＯＴＳ加入者回線サポート機能を提供する。回線サポート回路６２は、加入者回線４２の二重通信を中央局に接続される独立した送信および受信通信に分離する単信−二重通信インターフェースを提供する。回線６４は加入者からの情報を伝え、回線６６は加入者に伝送される情報を伝える。回線６４は、加入者から受信した信号を２つの実質上等しい信号に分割し、１つの信号が回線７０に適用され、もう１つの信号が回線７２に適用される信号分割器６８に接続される。回線７０は高域フィルタ７４に接続され、回線７２は低域フィルタ７６に接続される。高域フィルタ７４と低域フィルタ７６との出力はそれぞれＸＤＳＬ受信機７８とコーデック（符号器−復号器）８０に接続される。低域フィルタ７６は４キロヘルツ以下といった従来の音声通信に適する周波数の信号をコーデックに伝え、コーデックはアナログ音声信号を、回線５８上を中央局機器に伝送されるＰＣＭのようなディジタル信号に変換する。高域フィルタ７４は既知のＸＤＳＬ信号符号化（ＡＤＳＬの場合約３０キロヘルツから１５００キロヘルツの間）で使用されるように、例えば４キロヘルツ以上といった、フィルタ７６のカットオフ周波数以上の周波数の信号を通過させる。ＸＤＳＬ受信機７８は、高域フィルタにかけられた信号を、チャネル５４上を中央局機器に伝送されるＡＴＭ信号のような他の従来の信号に変換する。
【００１４】
加入者回線４２に伝送される情報は通信チャネル６０および５６上で中央局設備から受信される。コーデック８２は、従来のＰＯＴＳアナログ信号に変換されるＰＣＭフォーマットされた音声またはデータといったディジタル情報を受信する。ＡＴＭフォーマットのようなディジタル・データは、このデータを対応するＸＤＳＬアナログ信号に変換し信号結合器８６に伝送するＸＤＳＬ送信機８４を介して通信チャネル５６で受信される。同様に、コーデック８２のアナログ出力は結合器８６に送られ、そこで入力アナログ信号が合わせられて出力信号が生じ、回線６６上を回線サポート回路６２に運ばれる。
【００１５】
図３は回線サポート回路６２の例示としての実施形態である。チップ（Ｔ）とリング（Ｒ）との銅線が加入者回線４２を形成する。過電圧保護装置１００が使用され、加入者回線４２に出現しうる最大電圧を制限する。中央局バッテリー１０２のようなＤＣ電流源が従来のＰＯＴＳ加入者回線に供給される既知の駆動電流を提供する。リング発生器１０４が必要に応じてリンギング電圧源を加入者回線に提供する。普通開放リレー接点１０６が、当業技術分野で一般に知られている方法でリレー（図示せず）によって駆動され、加入者回線にリンギング電圧を適用し着信呼出を表示する。演算増幅器１０８が加入者回線４２への入力と接続され、加入者から伝送された情報の増幅信号の複製を回線６４に接続された出力に提供する。演算増幅器１１０および１１２は入力信号を、信号結合器からの回線６６から得る。増幅器１１０および１１２からの対応する出力は加入者回線４２のチップおよびリングの回線に接続される。これらの増幅器は信号を中央局から加入者回線に伝送する。
【００１６】
図３に示すような回路に関する動作の付加的な詳細は、引用によって本明細書の記載に援用する米国特許第５，５２８，６８８号を参照することによって得られる。本発明によれば、図３で入力および出力信号と直列に示されるキャパシタは、対応する等価抵抗を考慮して従来のＰＯＴＳサービスとＸＤＳＬサービスとの両方を処理するために必要な帯域幅を通過させる静電容量を有するように選択される。すなわち、この回路の部品は約２０ヘルツから１．５メガヘルツの間にわたる周波数帯域幅を提供するように選択される。従来のＰＯＴＳ等級のサービスが利用されるとき、図２に示すような低域フィルタ７６が利用され、ＸＤＳＬ信号方式に適応するために必要な拡張された周波数帯域幅のために存在する不必要な高い周波数信号成分を除去する。図３に示されない付加的な既知の回路がＰＯＴＳをサポートするために必要なことが当業技術分野に熟練した者には認識されるだろう。例えば、オフフック検出を提供し、ＰＯＴＳサービスの提供に関連する制御信号を処理する従来の回路が使用される。こうした他の従来の回路は、本発明の実施形態の説明を簡単にするため例示されない。
【００１７】
図４は本発明の他の実施形態を示す。この実施形態では、多重回線インターフェース・ユニット（ＭＬＩＵ）１２０が、対応する加入者インターフェース・ユニット（ＳＩＵ）１２４Ａ、１２４Ｂ、．．．１２４Ｎによって加入者回線１２２Ａ、１２２Ｂ、．．．１２２Ｎの終端となる。各ＳＩＵは同一で各対応する加入者回線についてＰＯＴＳサービスをサポートするので、ＳＩＵ１２４Ａのみが説明される。ＳＩＵ１２４Ａには図３に示すように回線サポート回路（ＬＳＣ）１２６が含まれる。ＬＳＣ１２６からの入力アナログ情報は回線１２８上でアナログ／ディジタル変換器１３０に接続され、そこからディジタル化情報がディジタル信号プロセッサ（ＤＳＰ）１３２に送られる。ＤＳＰ１３２はディジタル化情報を処理し、それを中央局が使用するＰＣＭのようなフォーマットに変換し、ＰＣＭ信号を回線１３４の入力経路上の中央局に送る。回線１３４の出力経路上の中央局からの出力ＰＣＭ信号はＤＳＰ１３２が受信し、ディジタル−アナログ変換器１３６が回線１３８上をＬＳＣ１２６に送られるアナログ信号に直接変換できるディジタル信号に逆変換される。従って、各ＳＩＵは対応する加入者回線についてＰＯＴＳをサポートする。
【００１８】
本実施形態によれば、高速度データ・ユニット（ＨＳＤＵ）１４０が所定の数の加入者回線についてＸＤＳＬのような高速度データ・サービスをサポートし、加入者回線間、すなわちＳＩＵ間で共有される。これは、高速度データ・インターフェースが各加入者回線について１対１ベースで提供されるアプローチと比較したときＭＬＩＵ１２０をより経済的にするためになされる。ＨＳＤＵ１４０には、ディジタル化加入者情報を、ＡＴＭ設備を介するなどして中央局への回線１４４Ａ．．．１４４Ｍ上で送信および受信されるＸＤＳＬフォーマットされた信号に変換するＸＤＳＬトランシーバを含むインターフェース・ユニット１４２Ａ．．．１４２Ｍが含まれる。セレクタ１４６はインターフェース・ユニット１４２Ａ．．．１４２Ｍのどれが回線１４８Ａ、１４８Ｂ、．．．１４８Ｎを介して対応するＳＩＵ１２４Ａ、１２４Ｂ、．．．１２４Ｎに接続されるかを選択する。ＭはＮより小さい整数であるので、すべてのＳＩＵに同時に高速度データ・サービスを提供することはできない。これは１つの制限であるが、ある所与の時間に高速度データ・サービスを要求する加入者の数を予想し、対象となる等級のサービスを提供するＭ／Ｎ比を決定することができる。
【００１９】
回線１４８Ａ．．．１４８ＮはＳＩＵとＨＳＤＵとの間のディジタル情報の流れをサポートする。高速度データに関連する不必要な高い周波数成分のフィルタリングが、ＳＩＵのＤＳＰにより既知のディジタル・フィルタリング技術を使用して組み込まれる。同様に、高速度データに関連する不必要な低い周波数成分のフィルタリングがインターフェース・ユニット１４２Ａ．．．１４２Ｍに組み込まれる。また、こうしたフィルタリングは、回線サポートユニットに関連するアナログ信号のディジタル信号に変換する前のアナログ領域でも達成できる。その場合、フィルタリングされたアナログ信号は回線１４８Ａ．．．を介してＨＳＤＵに送られ、インターフェース・ユニット１４２Ａ．．．１４２Ｍがフィルタリングされたアナログ信号を処理する。本発明の重要な態様は、リンギング信号とバッテリー給電との必要がこうしたフィルタリングにさらに負担をかける回線サポート回路の「フロントエンド」でこうしたフィルタリングを提供する必要がない点である。
【００２０】
制御装置１５０は回線１５２を介する中央局、回線１５４を介するＨＳＤＵ１４０および回線１５６を介するＳＩＵの間で通信と命令の処理を提供する。マイクロプロセッサ１５８は読み出し専用メモリ（ＲＯＭ）１６０とランダムアクセス・メモリ（ＲＡＭ）１６２とによってサポートされる。マイクロプロセッサ１５８は回線１５２、１５４および１５６上の信号の受信と送信とをサポートする入力／出力インターフェース１６４に接続される。呼出処理命令と状況情報は、回線１５２上を中央局とＭＬＩＵ１２０との間で制御装置１５０を介して伝えられる。命令は回線１５４上をＨＳＤＵ１４０に伝えられ、セレクタ１４６が行う経路選択を制御する。呼出処理情報は回線１５６上を制御装置１５０とＳＩＵとの間で伝えられる。
【００２１】
本発明のさまざまな実施が可能であることが当業技術分野に熟練した者には明らかであろう。例えば、超大規模集積（ＶＬＳＩ）技術を使用して、ＳＩＵの必要な機能が共通共有回路で提供される多重回線インターフェース・ユニットを構成することができる。十分なパワーと能力を有するＤＳＰがすべてではないにせよ多数のＳＩＵにサービスを提供できる。さらに、ＸＤＳＬインターフェース・ユニットの共通機能は、すべてではないにせよ多数のこれらのユニットが共有処理回路またはチップに統合できることを示唆している。ＨＳＤＵおよびＳＩＵの機能が全体または部分的に十分に強力な単数または複数のＤＳＰまたは計算機システムによって統合できることも考慮される。また、ＭＬＩＵの内部部品はアナログおよびディジタル機能によって分離できる。
【００２２】
ＸＤＳＬサービスを受信する加入者の一例が以下図４に示す実施形態に関して説明される。以下のステップは着呼者である加入者へのＸＤＳＬサービスの提供を説明する。
【００２３】
１．中央局機器はチャネル１５２によって制御装置１５０に呼び出し設定メッセージを送信する。中央局の設定メッセージは高速度データ・サービスが提供される加入者回線を示す。制御装置１５０が加入者回線を対応する加入者インターフェース・ユニットに相関させる記憶された表を保守する一方、ＸＤＳＬ情報を受信するＳＩＵは加入者回線のＩＤに基づいて知られる。
【００２４】
２．制御装置１５０は通信経路１５６を介して、加入者回線１２２ＡをサポートするＳＩＵ１２４Ａに伝送される命令を生成する。加入者回線１２２Ａを使用する加入者がこの説明の例でＸＤＳＬ通信を受信する着呼者である。
【００２５】
３．制御装置１５０は回線１５４上をＨＳＤＵ１４０（セレクタ１４６）に伝送する別の命令信号を生成するが、ＨＳＤＵはＸＤＳＬ通信に回線インターフェース・ユニット１２４Ａを提供するために利用される入力回線１４８Ａを識別する。制御装置１５０はインターフェース・ユニット１４２Ａ．．．１４２Ｍのアベイラビリティの表を記憶し、１４２Ａのような使用されていない高速インターフェース・ユニットを加入者回線１２２ＡとのＸＤＳＬ通信を処理するために割り当てる。
【００２６】
４．加入者回線１２２ＡとＨＳＤＵ１４０との間の通信経路の確立に続いて、制御装置１５０はチャネル１５２を介して中央局機器に応答メッセージを送信して、要求されたＸＤＳＬ通信経路が確立されたことを確認し、中央局機器とＭＬＩＵ１２０との間で対象ＸＤＳＬ通信を伝える高速度データ・ユニット１４２Ａと対応する回線１４４Ａとを識別する。従って、いまや加入者回線１２２Ａに接続された顧客所在地機器とのＸＤＳＬ通信を伝える中央局への完全な経路が利用可能である。
【００２７】
上記の例では、制御装置１５０はインターフェース・ユニット１４２Ａ．．．１４２Ｍのアベイラビリティのデータベースを保守し、ＸＤＳＬサービスの要求を処理する。また、中央局はインターフェース・ユニットのアベイラビリティの表またはデータベースを保守し、制御装置１５０が使用するインターフェース・ユニットの識別を提供することができる。
【００２８】
次のステップはオンデマンド・ベースで実現されるＸＤＳＬサービスの加入者による要求の開始を示す。
【００２９】
１．この説明される例について、ＸＤＳＬサービスを要求する加入者が加入者回線１２２Ａに関連すると仮定する。加入者回線１２２Ａに接続された顧客所在地機器を利用して、加入者は、サービス信号の要求を関連するＳＩＵ１２４Ａに送るなどしてＸＤＳＬ通信の要求を開始する。
【００３０】
２．既知の信号検出技術を使用して、ＳＩＵ１２４ＡのＤＳＰ１３２がサービス信号の要求を認識する。
【００３１】
３．その後ＳＩＵ１２４Ａは回線１５６上で、回線１２２Ａに関連する加入者によるＸＤＳＬサービスの要求があることを制御装置１５０に知らせる命令を生成する。
【００３２】
４．制御装置１５０は回線１５２を通じて中央局にサービス要求を伝送する。中央局は回線１４４Ａ．．．１４４Ｍのアベイラビリティを確認した後、このサービスの要求に適応する際に使用される回線、例えば１４４Ａを知らせる命令を制御装置１５０に送る。
【００３３】
５．制御装置１５０は、ＸＤＳＬインターフェース・ユニット１４２Ａが回線１４８Ａを経由してＳＩＵ１２４Ａに接続されることを示す命令信号を回線１５４を通じてＨＳＤＵ１４０（セレクタ１４６）に伝送する。
６．制御装置１５０は好適にはさらに、経路が完成したことを知らせる回線１５６上のＳＩＵ１２４Ａへの命令信号を生成する。
７．従って、ＸＤＳＬ通信経路が加入者回線１２２Ａに関連する加入者の顧客所在地機器と中央局機器に単信入力および出力通信を伝える高速度データ回線１４４Ａとの間に確立される。
高速度データ・サービスが通信システム管理者によって供給すなわち「釘付けにされる（ｎａｉｌｅｄ  ｕｐ）」ことが考慮される。この状況では、回線１４４Ａ．．．１４４Ｍの１つが変更されるまで有効というベースでＳＩＵの１つに割り当てられる一方、そのＳＩＵを使用する加入者に割り当てられる。この配置では、加入者は常に高速機能への直接アクセスを有する。
本発明の実施形態の説明が上記で図面を参照してなされたが、本発明の範囲は以下の請求項によって定義される。
【図面の簡単な説明】
【図１】回線終端機器をサポートするダイプレックス・フィルタを使用することによって加入者にＰＯＴＳと高速度データ・サービスとを提供する従来技術の実現例を示す。
【図２】アクセス・インターフェース・ユニットが、終端中央局機器で従来のダイプレックス・フィルタを必要とせずに単一の加入者にＰＯＴＳと高速度データ・サービスとを提供する本発明の実施形態を示す。
【図３】図２に示すような回線サポート回路の例示としての実施形態を示す。
【図４】多重回線インターフェース・ユニットが多数の加入者回線の終端となり、加入者回線間で高速度データ・リソースを共有する本発明の別の実施形態を示す。
【図１】
0004021023.tif 000002
【図２】
0004021023.tif 000003
【図３】
0004021023.tif 000004
【図４】
0004021023.tif 000005